(57)【要約】【課題】出し入れ可能な仕切り板で遊技者間を仕切る間仕切りユニットであって薄い仕切り板を使用可能で音の反射が少ない間仕切りユニットを提供する。【解決手段】間仕切りユニット１０は遊技機間に設置される縦長の収納部１１と、収納部に縦にして収納される複数枚の仕切り板１２（20,30）と、これら仕切り板１２を重ね合わせて収納部に収納した状態と収納部から一列に連なるように引き出した状態とにスライド移動可能に収納部に取り付けるスライド支持部１３とを有し、スライド支持部は、仕切り板の上部を支持する上支持部と、仕切り板の下部を支持する下支持部とを備える。上支持部１４と下支持部１５はそれぞれ、連結対象の一方に、引き出し方向に長いガイドスリット４１、４３、４５、４７を設け、他方にガイドスリットに係合されるガイドピン４２、４４、４６、４８を設けて構成される。また補強部材６１は第２仕切り板３０を波状に湾曲させて補強する。【選択図】図２
2014226488.tif 000002
【特許請求の範囲】
【請求項１】
遊技機間に設置される収納部と、
前記収納部に、縦にして収納される複数枚の仕切り板と、
前記複数枚の仕切り板を、重ね合わせて前記収納部に収納した状態と前記収納部から一列に連なるように引き出した状態とにスライド移動可能に前記収納部に取り付けるスライド支持部と、
を備え、
前記スライド支持部は、前記仕切り板の上部を支持する上支持部と、前記仕切り板の下部を支持する下支持部とを備え、
前記上支持部は、連結対象の一方に前記引き出し方向に長いスリットを設け、他方に前記スリットに係合されるピンを設けて、前記収納部と最も前段の仕切り板との連結、および仕切り板とその後段の仕切り板との連結を行い、
前記下支持部は、前記収納部の下部と最も前段の仕切り板の下部、および仕切り板の下部とその後段の仕切り板の下部がそれぞれ仕切り板の厚み方向に離れないように位置規制する
ことを特徴とする間仕切りユニット。
【請求項２】
前記下支持部は、連結対象の一方に前記引き出し方向に長いスリットを設け、他方に前記スリットに係合されるピンを設けて、前記収納部と最も前段の仕切り板との連結、および仕切り板とその後段の仕切り板との連結を行う
ことを特徴とする請求項１に記載の間仕切りユニット。
【請求項３】
最も後段の仕切り板の前端部に補強部材を設けた
ことを特徴とする請求項１または２に記載の間仕切りユニット。
【請求項４】
前記補強部材は、該補強部材の設けられた仕切り板の前端部を湾曲させる
ことを特徴とする請求項３に記載の間仕切りユニット。
【請求項５】
前記複数枚の仕切り板が前記収納部から最も引き出された状態において前記最も後段の仕切り板の前端部と該仕切り板の前段の仕切り板の後端部とがオーバーラップし、
前記補強部材は、該補強部材の設けられた仕切り板の前端部を、該補強部材を頂として前記前段の仕切り板側に対して凸となるように湾曲させる
ことを特徴とする請求項４に記載の間仕切りユニット。
【請求項６】
前記スリットは、前記後端側が下方に傾斜して形成されている
ことを特徴とする請求項１乃至５のいずれか１つに記載の間仕切りユニット。
【請求項７】
引き出された状態の最も前段の仕切り板の前端の下側の角を、引き出し方向の斜め上に向けて押圧する付勢部材を前記収納部に設けた
ことを特徴とする請求項１乃至６のいずれか１つに記載の間仕切りユニット。
【請求項８】
前記仕切り板は、透明である
ことを特徴とする請求項１乃至７のいずれか１つに記載の間仕切りユニット。
【発明の詳細な説明】
【技術分野】
【０００１】
本発明は、隣接配置された遊技機で遊技を行う隣り合う遊技者の間を仕切る間仕切りユニットに関する。
【背景技術】
【０００２】
パチンコ機やスロットマシンなどの遊技機が複数併設された遊技機島においては、隣の遊技者からのタバコの煙や隣の遊技機からの音などを遮るために、各遊技者間を仕切る仕切り板が設けられる。通常、遊技者は遊技機の前方の腰掛けに座って遊技を行う。そのため、仕切り板は遊技機島から通路側へ大きく突出させなければ十分な効果を果たさない。しかし、常時、仕切り板を通路側へ大きく突出させると、遊技者が不在のときは邪魔になる。そこで、必要時に引き出して使用可能な収納式の仕切り板が提案されている。
【０００３】
たとえば、下記特許文献１には、遊技機間に配置される収容ケース内に重合状態に複数枚の仕切り板が出退自在に収納されており、収容ケースから引出される１枚目の仕切り板と２枚目の仕切り板との間に、１枚目の仕切り板の引出し動作で２枚目の仕切り板を引出し動作させる連携手段を備えた仕切装置が開示されている。収容ケースには、前端側に上下一対のカバー部材がそれぞれ上下端部側を中心に回動自在に設けられており、このカバー部材を水平に回動させて開くと、このカバー部材が仕切り板を前後方向に案内する案内溝として機能する。
【０００４】
また、下記特許文献２には、下部を中心に回動させて上部を手前に引き出すようにした仕切り板が開示されている。
【先行技術文献】
【特許文献】
【０００５】
【特許文献１】登録実用新案第３１２３２４３号
【特許文献２】特開２０１２−０１１１４０号公報
【発明の概要】
【発明が解決しようとする課題】
【０００６】
間仕切りユニットのコストの中で、アクリル板などで形成される仕切り板の材料費が占める割合は大きい。また、厚みが増せば透明度が低下するので遊技者の手元を店員等が見難くなり、不正行為を見つけ難くなる。さらに、厚くて重いアクリル板を使用すると、万が一落下した場合の安全性に問題がある。そこで、薄い仕切り板を使用することが望まれる。
【０００７】
特許文献１に開示の仕切装置では、仕切り板は、枠体の中にアクリル板を有する構造なので、薄いアクリル板を使用することができる。しかし、枠が必要となるほか、連携手段や手前に開くと案内溝として機能するカバー部材などの機構を必要とし、構造が複雑になる。また、枠があるため、遊技者の手元の視認性は良くない。さらに、上下のカバー部材で仕切り板をしっかりと保持するので、仕切り板での音の反射率が高くなる。そのため、遊技者の左右両側に仕切り板を引き出した場合、これらの仕切り板に挟まれた狭い空間内で音が反響し易くなり、反響する音を遊技者が不快に感じることがある。
【０００８】
特許文献２に開示された構成では、支点だけで仕切り板を支持するので、仕切り板に高い強度が求められ、結果的に、厚い仕切り板を使用しなければならない。
【０００９】
本発明は、上記の問題を解決しようとするものであり、出し入れ可能な仕切り板で遊技者間を仕切る間仕切りユニットであって、薄い仕切り板を使用可能な間仕切りユニットを提供することを目的としている。また、音の反射が少ない間仕切りユニットを提供することを第２の目的としている。
【課題を解決するための手段】
【００１０】
かかる目的を達成するための本発明の要旨とするところは、次の各項の発明に存する。
【００１１】
［１］遊技機間に設置される収納部と、
前記収納部に、縦にして収納される複数枚の仕切り板と、
前記複数枚の仕切り板を、重ね合わせて前記収納部に収納した状態と前記収納部から一列に連なるように引き出した状態とにスライド移動可能に前記収納部に取り付けるスライド支持部と、
を備え、
前記スライド支持部は、前記仕切り板の上部を支持する上支持部と、前記仕切り板の下部を支持する下支持部とを備え、
前記上支持部は、連結対象の一方に前記引き出し方向に長いスリットを設け、他方に前記スリットに係合されるピンを設けて、前記収納部と最も前段の仕切り板との連結、および仕切り板とその後段の仕切り板との連結を行い、
前記下支持部は、前記収納部の下部と最も前段の仕切り板の下部、および仕切り板の下部とその後段の仕切り板の下部がそれぞれ仕切り板の厚み方向に離れないように位置規制する
ことを特徴とする間仕切りユニット。
【００１２】
上記発明では、仕切り板は、収納部にスライド移動して出し入れされ、引き出された状態では、隣り合う遊技機で遊技を行う遊技者間を仕切る間仕切りとなる。複数枚の仕切り板を出し入れ可能に収納部に取り付けるスライド支持部は上支持部と下支持部を備える。上支持部は、スリットとこのスリットに係合されるピンとから構成される。下支持部は、収納部の下部と仕切り板の下部、および２段目以降の仕切り板同士の下部がそれぞれ仕切り板の厚み方向に離れないように位置規制する。
【００１３】
［２］前記下支持部は、連結対象の一方に前記引き出し方向に長いスリットを設け、他方に前記スリットに係合されるピンを設けて、前記収納部と最も前段の仕切り板との連結、および仕切り板とその後段の仕切り板との連結を行う
ことを特徴とする［１］に記載の間仕切りユニット。
【００１４】
上記発明では、下支持部は、スリットと、このスリットに係合されるピンとから構成される。簡易な構成で仕切り板の下部を位置規制することができる。また、スリットはスライド範囲を規制し、スリットの端部でスライドさせたピンが止まるので、収納部と最も前段の仕切り板との連結、および仕切り板とその後段の仕切り板との連結が、スライド方向に抜けて外れてしまうことがない。
【００１５】
［３］最も後段の仕切り板の前端部に補強部材を設けた
ことを特徴とする［１］または［２］に記載の間仕切りユニット。
【００１６】
上記発明では、補強部材で補強することで、より薄くて強度の低い仕切り板を採用することができる。
【００１７】
［４］前記補強部材は、該補強部材の設けられた仕切り板の前端部を湾曲させる
ことを特徴とする［３］に記載の間仕切りユニット。
【００１８】
上記発明では、補強部材で仕切り板を湾曲させることで、仕切り板の引き出し方向の強度を高める。
【００１９】
［５］前記複数枚の仕切り板が前記収納部から最も引き出された状態において前記最も後段の仕切り板の前端部と該仕切り板の前段の仕切り板の後端部とがオーバーラップし、
前記補強部材は、該補強部材の設けられた仕切り板の前端部を、該補強部材を頂として前記前段の仕切り板側に対して凸となるように湾曲させる
ことを特徴とする［４］に記載の間仕切りユニット。
【００２０】
上記発明では、補強部材は、仕切り板を波状に湾曲させると共に、補強部材の設けられた仕切り板の縦方向の中央部分をその前段の仕切り板から離れないように機能する。
【００２１】
［６］前記スリットは、前記後端側が下方に傾斜して形成されている
ことを特徴とする［１］乃至［５］のいずれか１つに記載の間仕切りユニット。
【００２２】
上記発明では、下方に傾斜した部分は、引き出された仕切り板が容易に収納方向へ戻ることを防ぐストッパ機能を果たす。
【００２３】
［７］引き出された状態の最も前段の仕切り板の前端の下側の角を、引き出し方向の斜め上に向けて押圧する付勢部材を前記収納部に設けた
ことを特徴とする［１］乃至［６］のいずれか１つに記載の間仕切りユニット。
【００２４】
上記発明では、引き出された状態の最も前段の仕切り板の前端の下側の角を、引き出し方向の斜め上に向けて付勢部材で押圧することで、その仕切り板が、ふらつかずに安定する。
【００２５】
［８］前記仕切り板は、透明である
ことを特徴とする［１］乃至［７］のいずれか１つに記載の間仕切りユニット。
【００２６】
上記発明では、不正行為の防止に貢献する。また、遊技者に圧迫感を与えない。
【発明の効果】
【００２７】
本発明に係る間仕切りユニットによれば、薄い仕切り板を使用することができる。また、引き出した仕切り板の支持部材が遊技者の手元の視認性を阻害しない。また、仕切り板による音の反響が抑制される。
【図面の簡単な説明】
【００２８】
【図１】本発明の実施の形態に係る間仕切りユニットを適用した遊技機島の一例を示す斜視図である。
【図２】本実施の形態に係る間仕切りユニットを正面斜め方向から見た斜視図である。
【図３】仕切り板を引き出した状態の間仕切りユニットを示す正面図である。
【図４】仕切り板を収納した状態の間仕切りユニットを示す正面図である。
【図５】第２仕切り板のみを引き出した状態の間仕切りユニットを示す正面図である。
【図６】第１仕切り板の上部に設けられたガイドスリットの後端部と第２仕切り板の上部の前端部に設けられたガイドピンとを拡大視して示す図である。
【図７】第１仕切り板を引き出した状態における付勢部材およびその周囲を拡大視して示す図である。
【図８】仕切り板を収納した状態で付勢部材が凹部に係合する様子を示す図である。
【図９】補強部材を示す斜視図である。
【図１０】補強部材によって波状に湾曲した第２仕切り板を示す図である。
【図１１】補強部材の他の構成を示す斜視図である。
【図１２】遊技者の両側に引き出された第２仕切り板の間で生じる音の反射を示す図である。
【発明を実施するための形態】
【００２９】
以下、図面に基づき本発明の実施の形態を説明する。
【００３０】
図１は、本発明の実施の形態に係る間仕切りユニット１０を適用した遊技機島２の一例を示している。遊技機島２は、パチンコ機、パチスロ機などの遊技機３と遊技者に遊技媒体（パチンコ球、メダルなど）を貸し出す遊技球貸機４と本実施の形態に係る間仕切りユニット１０とを一組としたものを、島の表裏面のそれぞれに複数組併設収容している。間仕切りユニット１０は、遊技機３と遊技機３の間に設置される。各遊技機３の手前側の通路には遊技者が座るための椅子５が設置されている。
【００３１】
図２は本実施の形態に係る間仕切りユニット１０を正面斜め方向から見た斜視図であり、図３は仕切り板１２を引き出した状態の間仕切りユニット１０の正面図である。図４は仕切り板１２を収納した状態の間仕切りユニット１０の正面図である。図５は仕切り板１２を１段のみ引き出した状態の間仕切りユニット１０の正面図である。
【００３２】
各図に示すように、間仕切りユニット１０は、遊技機３と隣の遊技機３との間に設置される縦長で薄型の収納部１１と、収納部１１に引き出し可能に収納される複数枚の仕切り板１２と、複数枚の仕切り板１２を、重ね合わせて収納部１１に収納した状態と収納部１１から一列に連なるように引き出した状態とにスライド移動可能に収納部１１に取り付けるスライド支持部１３とを備えて構成される。
【００３３】
複数枚の仕切り板１２は、具体的には、１段目の第１仕切り板２０と、第１仕切り板２０よりさらに引き出される２段目の第２仕切り板３０とからなる。第１仕切り板２０は収納部１１に取り付けられ、第２仕切り板３０は第１仕切り板２０に取り付けられている。第１仕切り板２０、第２仕切り板３０はいずれも透明な樹脂（たとえば、アクリル）で形成されており、復元可能に曲がるような柔軟性と弾性を備えた薄板である。たとえば、下端のみを持って縦に支持したとき、自重で曲がる（撓む）程度である。厚みは、１．５ｍｍ程度である。以後、収納部１１への収納方向側を「前」、引き出し方向側を「後」とする。また、各仕切り板２０、３０において、収納部１１への収納方向側の端縁を前縁とする。
【００３４】
第１仕切り板２０は、縦長の長方形を成しており、収納位置では収納部１１に全体がほぼ収納される（図４、５参照）。また、第１仕切り板２０は引き出し位置（最も引き出した位置）でも、前縁全体が収納部１１から出ないようにされている（図３参照）。
【００３５】
第２仕切り板３０は、縦方向の長さは第１仕切り板２０とほぼ同じで、引き出し方向の長さは第１仕切り板２０より長くされている。第２仕切り板３０は、収納位置では、後端部が、持ち手となる部分として、収納部１１から出た状態になる（図４参照）。第２仕切り板３０は、引き出し位置では、引き出しされた第１仕切り板２０からさらに引き出されて全体が収納部１１から出る（図２、３参照）。ただし、一杯に引き出された状態でも前段の第１仕切り板２０の後端部と第２仕切り板３０の前端部とが縦方向全体に渡ってオーバーラップするようにされている。
【００３６】
図２に示すように、収納部１１は、縦長の長方形の板部１７と該板部１７の一方の縦辺のほぼ全体から９０度に屈曲して１ｃｍほどの高さに伸びた縁壁１８とを備えて構成される。収納部１１は剛性の高い金属板などで構成される。収納部１１の板部１７の表面に対して、第１仕切り板２０と第２仕切り板３０がこの順で平行に重なるようにして収納される。
【００３７】
スライド支持部１３は、仕切り板１２の上部を支持する上支持部１４と、仕切り板１２の下部を支持する下支持部１５とを備える。上支持部１４は、連結対象の一方に、引き出し方向に長いスリットを設け、他方に、スリットに係合されるピンを設けて、収納部１１と最も前段の仕切り板との連結、および仕切り板とその後段の仕切り板との連結を行う。
【００３８】
下支持部１５は、収納部１１の下部と最も前段の仕切り板１２（第１仕切り板２０）の下部、および仕切り板１２（２０）の下部とその後段の仕切り板１２（第２仕切り板３０）の下部がそれぞれ仕切り板１２の厚み方向に離れないように位置規制する。
【００３９】
上支持部１４は、収納部１１の上部に、第１仕切り板２０の出し入れ方向に沿って設けられたガイドスリット４１と、第１仕切り板２０の前端部の上部に設けられて、収納部１１の上部のガイドスリット４１に係合するガイドピン４２と、第１仕切り板２０の上部に第２仕切り板３０の出し入れ方向に沿って設けられたガイドスリット４３と、第２仕切り板３０の前端部の上部に設けられて、第１仕切り板２０の上部のガイドスリット４３に係合するガイドピン４４とから構成される。
【００４０】
第１仕切り板２０において、ガイドスリット４３はガイドピン４２より上方に設けられている。ガイドピン４２、４４にＥリングを嵌めることでガイドピン４２、４４がガイドスリット４１、４３から抜けないようにされる。ガイドスリット４１の両端は、収納部１１の前端および後端から１〜２ｃｍ離れた位置にあり、ガイドスリット４３の両端は、第１仕切り板２０の前端および後端から１〜２ｃｍ離れた位置にある。
【００４１】
下支持部１５は、収納部１１の下部に、第１仕切り板２０の出し入れ方向に沿って設けられたガイドスリット４５と、第１仕切り板２０の前端部の下部に設けられて、収納部１１の下部のガイドスリット４５に係合するガイドピン４６と、第１仕切り板２０の下部に第２仕切り板３０の出し入れ方向に沿って設けられたガイドスリット４７と、第２仕切り板３０の前端部の下部に設けられて、第１仕切り板２０の下部のガイドスリット４７に係合するガイドピン４８とから構成される。
【００４２】
第１仕切り板２０において、ガイドスリット４７はガイドピン４６より下方に設けられている。ガイドピン４６、４８にＥリングを嵌めることでガイドピン４６、４８がガイドスリット４５、４７から抜けないようにされる。ガイドスリット４５の両端は、収納部１１の前端および後端から１〜２ｃｍ離れた位置にあり、ガイドスリット４７の両端は、第１仕切り板２０の前端および後端から１〜２ｃｍ離れた位置にある。
【００４３】
さらに、間仕切りユニット１０は、収納部１１の板部１７の縦方向の中央にも、引き出し方向に沿ったガイドスリット５１を有すると共に、このガイドスリット５１に係合されるガイドピン５２を、第１仕切り板２０の前端部の縦方向の中央に備えている。これにより、第１仕切り板２０の前端部は、上部、中央部、下部の３箇所で支持される。
【００４４】
各ガイドスリット４１、４３、４５、４７は、それぞれ、その引き出し方向の端部（後端側）が下方に傾斜している。この下方に傾斜した部分は、引き出された仕切り板１２が収納方向へ容易に戻ることを防止するストッパ機構をなしている。図６は、第１仕切り板２０の上部に設けられたガイドスリット４３の下り傾斜した後端部と第２仕切り板３０の上部の前端部に設けられたガイドピン４４とを拡大図示している。
【００４５】
また、図３に示すように、収納部１１の入口下部には、引き出された状態の最も前段の仕切り板（第１仕切り板２０）の前端の下側の角を、引き出し方向の斜め上に向けて押圧する付勢部材５４が設けてある。図７は、第１仕切り板２０を引き出した状態における付勢部材５４およびその周囲を拡大図示している。ここでは、付勢部材５４は板ばねである。付勢部材５４は、上記押圧する機能を果たせば、板ばね以外で構成されてもよい。第１仕切り板２０の前端の下側の角を、引き出し方向の斜め上に向けて付勢部材５４で押圧することで、引き出された第１仕切り板２０がふらつかずに安定する。
【００４６】
第１仕切り板２０および第２仕切り板３０の下端には、収納部１１へ収納した収納位置において付勢部材５４が当接する箇所に、凹部５５を設けてある。図８に示すように、収納部１１に第１仕切り板２０および第２仕切り板３０を収納すると、第１仕切り板２０および第２仕切り板３０の下端の凹部５５に付勢部材５４の先端部が嵌り込む。これにより、付勢部材５４は、収納部１１に収められた仕切り板１２が容易に収納部１１から出ないように作用してストッパの機能を果たす。
【００４７】
図２に示すように、第２仕切り板３０の前端部の縦方向の中央には、補強部材６１が取り付けてある。補強部材６１は、図９に示すように、矩形の２枚の平行な板を同一方向に湾曲させて備える断面コの字状の高剛性の部材である。２枚の板の間隔は第２仕切り板３０の厚みに対応しており、補強部材６１は、２枚の板の間に第２仕切り板３０の前端部を挟み込むようにして第２仕切り板３０に取り付けられる。
【００４８】
補強部材６１を、第１仕切り板２０に対して凸となる向きで第２仕切り板３０の前端部に取り付けることで、図１０に示すように、第２仕切り板３０が波状に湾曲する。詳細には、第２仕切り板３０の前端部の縦方向の略中央に補強部材６１を第１仕切り板２０に対して凸となる向きに取り付けると、補強部材６１を頂として第２仕切り板３０の補強部材６１近傍部分が第１仕切り板２０に対して凸となるように湾曲する。また、第１仕切り板２０の上部と第２仕切り板３０の上部は上支持部１４で連結され、第１仕切り板２０の下部と第２仕切り板３０の下部は下支持部１５によって連結されているので、上記の凸となった湾曲部分の上下の両側から第２仕切り板３０の上下両端にかけて第２仕切り板３０が第１仕切り板２０に対して凹となるように湾曲する。その結果、第２仕切り板３０の前縁部が波状に湾曲する。
【００４９】
この波状の湾曲により、第２仕切り板３０の腰が強くなって、水平方向（引き出し方向）の変形に対する強度が上がる。
【００５０】
なお、補強部材６１に代えて、図１１に示すような、湾曲した矩形の板が１枚のみの断面Ｌ字状の補強部材６１ｂを使用してもよい。この場合、補強部材６１ｂを第２仕切り板３０の前縁部に接着剤等で貼り付ければよい。
【００５１】
このほか、第２仕切り板３０の引き出し方向の端縁（後縁）を、ゴムなどの柔軟で弾性のある保護カバーで覆うように構成してもよい。保護カバーは、怪我を防止して安全性を高める作用を果たす。保護カバーは、第２仕切り板３０のうち、遊技者が直接、手で触れることのある端縁の全部または一部に設けられる。
【００５２】
次に、間仕切りユニット１０の作用を説明する。
【００５３】
間仕切りユニット１０は、仕切り板１２（第１仕切り板２０および第２仕切り板３０）を収納部１１から引き出すことで、隣りあう遊技者間を仕切ることができる。これにより、隣の遊技者のタバコの煙や、隣の遊技機３や遊技球貸機４からの音、隣の遊技者の声などを遮ることができ、より快適な個人の空間が形成される。
【００５４】
また、間仕切りユニット１０の仕切り板１２は透明であり、特に仕切り板１２の下部の下支持部１５はガイドスリット４５、４７とガイドピン４６、４８で構成されるので、たとえば、金属性のスライドレールのように視界を大きく遮ることがなく、仕切り板１２を引き出した状態でも、遊技者の手元を遊技場の店員や監視カメラが監視する際に視認性が低下せず、不正行為を防止することができる。
【００５５】
また、仕切り板１２を薄くしたので、間仕切りユニット１０の製造コストを安価にすることができる。仕切り板１２を薄くすることで間仕切りユニット１０全体としての厚みも薄くなり、既存の遊技機島２では、予め設置された台数を減らすことなく間仕切りユニット１０を隣り合う各遊技機３の間に追加設置することができる。また、薄い仕切り板１２は重量も軽いので、ガイドスリット４１、４３、４５、４７とガイドピン４２，４４、４６、４８という簡易な支持方法で支持することができる。
【００５６】
仕切り板１２は、薄くて、復元可能に自重で曲がるような柔軟性と弾性を備えているので、遊技者や遊技場の店員が仕切り板１２にぶつかった場合でも、仕切り板１２はその衝撃を受け流す。これにより、ぶつかった店員や遊技者の怪我が防止される。また、遊技者や遊技場の店員が仕切り板１２にぶつかった際の衝撃が遊技機島２へ伝わり難いので、この衝撃によって遊技機３が揺れて遊技に影響を与えてしまうといったことが防止される。たとえば、上記の衝撃が遊技機３に伝わると、パチンコ球の挙動に影響を与えてしまい、遊技者に不快感や迷惑を与えることがあるが、本実施の形態の間仕切りユニット１０ではそのような事態が防止される。
【００５７】
また、間仕切りユニット１０は、スライド移動により仕切り板１２を収納部１１に収納可能なので、収納できないタイプや回動させて収納させるタイプのものに比べて、遊技場の店員が遊技機３等の前で行う各種作業の作業性が向上する。たとえば、遊技者が店員を呼び出した際、店員は、遊技者の隣に来て、呼出しランプを解除し、玉箱交換、たばこやジュースなどの受け渡しを行う。このような作業の際に店員の体や手が仕切り板１２を遊技機島２側へ押す方向に当たることが多々あるが、店員の体や手が仕切り板１２に当たったときに仕切り板１２が収納部１１側へ容易にスライドするので、当たった衝撃で熱いコーヒーやジュースがこぼれたりすることが防止される。その結果、店員がわざわざ仕切り板１２を収納する等が不要になる。また、店員が仕切り板１２にぶつかって怪我をしたり、こぼれた熱いコーヒーが遊技者にかかってしまったりする等の事故が防止される。
【００５８】
また、遊技者が席を立つ際には、仕切り板１２が柔軟に曲がるため、いちいち仕切り板１２を収納せずに、席を立つことができる。すなわち、席を離れようとする遊技者の体が仕切り板１２に当たっても、仕切り板１２が柔軟に曲がるので、遊技者は強い衝撃を受けたりすることなく、仕切り板１２を体や手で押し曲げながら、そのまま席を立つことができる。また、遊技者が仕切り板１２を収納して席を立つ場合でも、仕切り板１２が薄く軽いので、仕切り板１２を容易に出し入れすることができる。
【００５９】
また、補強部材６１を設けることで前述したように第２仕切り板３０を波状に湾曲させているので、遊技者の左右両側の仕切り板１２が引き出された場合でも、これらの仕切り板１２の間で音が反射を繰り返して反響することが防止される。
【００６０】
図１０に示すように、仮に、左右の仕切り板１２が湾曲のない平らな板の場合には、遊技機等で生じた音が左右の平行な仕切り板１２の間で何度も反射を繰り返すので、遊技者に不快感を与えてしまう。これに対し、本実施の形態の間仕切りユニット１０では、第２仕切り板３０が波状に湾曲しているので、音が乱反射して反射回数が減り、遊技者の不快感を低減させることができる。
【００６１】
特に、補強部材６１を第２仕切り板３０の縦方向の略中央に設けると、その設けられた高さが、遊技者の耳の位置近くになるため、反射音が遊技者の耳元以外に向けて誘導され、遊技者の耳に届く音を低減することができる。
【００６２】
また、仕切り板１２は、ガイドスリット４１、４３、４５、４７とガイドピン４２、４４、４６、４８で支持されているので、音を受けると仕切り板１２が容易に振動し、音の反射率が低減されている。また、熱膨張等によるサイズの変動に対応することができる。
【００６３】
なお、仮に、第２仕切り板３０の前縁全体を補強すると、第２仕切り板３０が音を受けて振動し難くなり、音の反射率が高くなるが、本実施の形態にかかわる間仕切りユニット１０では、前述したように補強部材６１を第２仕切り板３０の前縁の縦方向の中央部のみに設けているので、振動が補強部材６１によって規制され難く、音の反射率を抑えることができる。
【００６４】
また、補強部材６１は、第２仕切り板３０の前縁の縦方向の中央部を第１仕切り板２０から離れないように位置規制する役割も果たしている。すなわち、図１０に示すように、第２仕切り板３０の中央部（補強部材６１が設けられた箇所）は第１仕切り板２０側に押し付けられた状態に維持される。その結果、第２仕切り板３０を収納部１１へ収納する際に、第２仕切り板３０の前縁全体が第１仕切り板２０に沿って進み、円滑に収納部１１へ進入する。なお、図１０では、波状の湾曲を誇張して示してあり、実際には僅かの湾曲のため、湾曲が収納部１１への収納に支障を与えることはない。
【００６５】
第２仕切り板３０の前縁は、収納部１１の入口にぶつかることがないので、収納部１１の入口にぶつかる衝撃で、第２仕切り板３０が破損（ひび割れや欠け）することがない。
【００６６】
また、仕切り板１２を一杯に引き出した状態でも１段目の第１仕切り板２０の前縁全体が収納部１１の中にあり、１段目の第１仕切り板２０の後端部と２段目の第２仕切り板３０の前端部とが縦方向の全体に渡ってオーバーラップしている。そのため、収納部１１と第１仕切り板２０の前縁との間や第１仕切り板２０の後端部と第２仕切り板３０の前端部との間に隙間ができないので、隣の席からのタバコの煙や音を効果的に遮ることができる。
【００６７】
以上、本発明の実施の形態を図面によって説明してきたが、具体的な構成は実施の形態に示したものに限られるものではなく、本発明の要旨を逸脱しない範囲における変更や追加があっても本発明に含まれる。
【００６８】
収納部１１は、仕切り板１２を出し入れするための入口を備えた箱状に構成されてもよい。
【００６９】
実施の形態では、２段に引き出す構成例を示したが、仕切り板１２の段数は任意でよく、１段のみでも、３段以上でもかまわない。
【００７０】
実施の形態では、下支持部１５をガイドスリット４５、４７とガイドピン４６、４８で構成したが、収納部１１の下部と第１仕切り板２０の下部、および第１仕切り板２０の下部とその後段の第２仕切り板３０の下部がそれぞれ仕切り板１２の厚み方向に離れないように位置規制する機能を果たす構成であればよい。たとえば、収納部１１の下部に案内溝を形成し、この案内溝に第１仕切り板２０の下端を嵌めこみ、案内溝に案内されて第１仕切り板２０がスライド移動するといった構成でもよい。第１仕切り板２０と第２仕切り板３０との位置規制についても同様である。
【００７１】
仕切り板１２は透明に限定されないが、少なくとも遊技者の手元近くは透明であることが望ましい。また仕切り板１２の厚みや柔軟性は実施の形態で示した例に限定されない。復元可能に曲がるものであれば、縦にしたときに自重で曲がるほど柔軟なものでなくてもかまわない。
【００７２】
実施の形態では、補強部材６１を第２仕切り板３０の前縁の縦方向の中央部分にのみ設けたが、２箇所、３箇所に補強部材６１を設けてもよいし、第２仕切り板３０の前縁全体に渡って補強部材６１を設けてもよい。この場合、補強部材６１を波状に湾曲した形状とし、第２仕切り板３０を図１０、図１２と同様に波状に湾曲させることが望ましい。
【００７３】
また補強部材６１は、必ずしも湾曲した形状に限定されず、直線形状以外（非直線）であればよい。たとえば、Ｖ字の角部分を湾曲させた形状などでもかまわない。
【００７４】
実施の形態では、第１仕切り板２０より第２仕切り板３０の引き出し方向の長さを大きくしたが、第１仕切り板２０と同一のサイズでも、第１仕切り板２０より小さくてもかまわない。
【００７５】
また遊技機島２は、実施の形態で例示した遊技機３（パチンコ機）と遊技球貸機４を収容する構成に限定されず、スロットマシンとメダル貸機等を収容する遊技機島２でもかまわない。
【符号の説明】
【００７６】
２…遊技機島
３…遊技機
４…遊技球貸機
５…椅子
１０…間仕切りユニット
１１…収納部
１２…仕切り板
１３…スライド支持部
１４…上支持部
１５…下支持部
１７…板部
１８…縁壁
２０…第１仕切り板
３０…第２仕切り板
４１、４３、４５、４７…ガイドスリット
４２、４４、４６、４８…ガイドピン
５１…ガイドスリット
５２…ガイドピン
５４…付勢部材
５５…凹部
６１、６１ｂ…補強部材
【図１】
2014226488.tif 000003
【図２】
2014226488.tif 000004
【図３】
2014226488.tif 000005
【図４】
2014226488.tif 000006
【図５】
2014226488.tif 000007
【図６】
2014226488.tif 000008
【図７】
2014226488.tif 000009
【図８】
2014226488.tif 000010
【図９】
2014226488.tif 000011
【図１０】
2014226488.tif 000012
【図１１】
2014226488.tif 000013
【図１２】
2014226488.tif 000014